(57)【要約】      （修正有）【課題】各種幅のシートの前縁を精確に測定し、正確なスキャン及びシート分けを達成し、また、シートのゆがみを検出する機能を有し、シートが引き裂かれ、紙詰まりする状況を防止することができる、シート辺縁センサー装置を有するシート搬送器を提供する。【解決手段】シート搬送器は、機体上に、シートプレス板と、ローラーセットと、光源と、ＣＣＤイメージセンサーを固定し、シートプレス板上に前縁ミラーと側辺ミラーを固定し、機体上にさらに、光線を受け、伝達する複数のミラー及び透過レンズを設ける。ＣＣＤイメージセンサーと信号処理器が相互に接続する。シート搬送器は、スキャナー、ファクシミリ及びコピー機に応用できる。本シート搬送器センサーは敏感度が高く、構造が簡単で、低コストである。【選択図】図１
0003140171.tif 000002
【実用新案登録請求の範囲】
【請求項１】
機体と、
ローラーセットであって、機体上に設置され、該ローラーセットの間にシート搬送経路を形成し、シート搬送経路が、正常にシートが通過するシート推進経路とシート推進経路左右両側の経路側辺を含むローラーセットと、
機体上に設置され、シート搬送経路の一側に位置する光源と光信号を電気信号に変換するイメージセンサーを含む信号採集器と、
信号採集器のイメージセンサーと相互に接続する信号処理器と、
機体上に設置され、シート搬送経路の他側に位置し、シート推進経路箇所に対応する前縁ミラーと
を含むシート辺縁センサー装置を有するシート搬送器。
【請求項２】
前記シート推進経路左右両側の経路側辺箇所にそれぞれ側辺ミラーを設け、側辺ミラーと前縁ミラーがシート経路の同一側に位置する請求項１記載のシート辺縁センサー装置を有するシート搬送器。
【請求項３】
前記２つの側辺ミラーと前縁ミラーの前後の位置が一致している請求項２記載のシート辺縁センサー装置を有するシート搬送器。
【請求項４】
前記機体上にシートプレス板を設置し、前記前縁ミラーと側辺ミラーが該シートプレス板上に固定される請求項２記載のシート辺縁センサー装置を有するシート搬送器。
【請求項５】
前記シート推進経路の左右両側及び中部がいずれも前縁ミラーを設けてなる請求項１記載のシート辺縁センサー装置を有するシート搬送器。
【請求項６】
前記前縁ミラーが長方形状を呈し、２つの経路側辺に跨る請求項１記載のシート辺縁センサー装置を有するシート搬送器。
【請求項７】
前記機体上にイメージセンサーに向かって光線を伝達する幾つかのミラーと光線を集め、イメージセンサーに向かって伝達する透過レンズを固定してなる請求項１記載のシート辺縁センサー装置を有するシート搬送器。
【請求項８】
前記イメージセンサーがＣＣＤイメージセンサーである請求項１記載のシート辺縁センサー装置を有するシート搬送器。
【請求項９】
前記イメージセンサーがＣＩＳイメージセンサーである請求項１記載のシート辺縁センサー装置を有するシート搬送器。
【請求項１０】
機体と、
ローラーセットであって、機体上に設置され、該ローラーセットの間にシート搬送経路を形成し、シート搬送経路が、正常にシートが通過するシート推進経路とシート推進経路左右両側の経路側辺を含むローラーセットと、
機体上に設置され、シート搬送経路の一側に位置する光源と光信号を電気信号に変換するイメージセンサーを含む信号採集器と、
信号採集器のイメージセンサーと相互に接続する信号処理器と、
機体上に設置され、シート搬送経路の他側に位置し、経路側辺箇所に対応する側辺ミラーと
を含むシート辺縁センサー装置を有するシート搬送器。
【考案の詳細な説明】
【技術分野】
【０００１】
本考案は、シート搬送器に関し、特に、シート辺縁センサー装置を有するシート搬送器に関する。
【背景技術】
【０００２】
現在、シートを処理および使用するオフィス設備の種類は多く、例えば、プリンタ、スキャナー、コピーおよびファクシミリ等であり、仕事の効率を向上させるため、そのうち、多くのシート処理設備は自動シート搬送器を有している。シート搬送器は、いずれも幾つかのシート推進ローラーからなるローラーセットを含み、ローラーセットの間にシート搬送経路を形成している。
【０００３】
シートに対してイメージ信号採集処理を開始する時間を確定するため、シート搬送器上にシート前縁センサーを設置している（前後はシート推進方向を正とし、シート前進方向を前とする）。現在、シート搬送器上のシート前縁センサー装置は、通常、いずれもシート処理設備上に設け、シート進行処理位置に対し後面に位置する前縁センサーと前縁揺動アームを含み、前縁センサーは電線を介して信号処理器と接続している。
【０００４】
シート進入時、その前辺縁が前縁揺動アームを推進し、前縁揺動アームに従い前縁センサーを触動し、前縁センサーから電線を経由し信号を信号処理器に伝送する。信号処理器はこの信号を受信した後、ローラーセットの回転数を確定し、ローラーセットが対応する回転数を回転した後、シート処理設備がシートに対してイメージ信号の採取を行う。書類シートが前縁揺動アームを通過し、前縁揺動アームが元の位置に戻る時、前縁センサーが元の位置に復元する。信号処理器がこの信号を受信した後、ローラーセットの回転数を確定し、ローラーセットが相応する回転数を回転した後、シート処理設備は、このシートが既に処理完了していることを認定する。この方式により、シート処理設備がページごとに書類シートイメージを区分する目的を達成し、スキャン、コピーまたはファクシミリの機能を実現する。
【０００５】
また、シート搬送器を有するシート前縁センサー装置が書類シートに背後に設置される黒色背景を介して、黒色背景と書類シートカラーの差を利用し、シートに対して前縁の検査を完成する。
【０００６】
シートの歪みが激しく、シート推進を継続する過程で、シート吸い込み経路両側の構造の押圧を受けて引き裂かれ、シート搬送器に紙が詰まることを防止するため、シート搬送器は、シート側辺センサー装置を設置している。シート側辺センサー装置は、通常、側辺揺動アームと側辺センサーから組成され、側辺センサーは電線を介して信号処理器と相互に接続する。シートが歪みの程度が側辺揺動アームに触れ、側辺センサーを触発する時、側辺センサーが信号を発生し、電線を介して信号処理器に伝達する。信号処理器はこの信号を受信した時、ローラーセットの動作を停止し、シート搬送を停止する。
【０００７】
但し、上記従来のシート搬送器は、前縁揺動アームとローラーセット等の組み合わせがシート前縁をセンサーし、機械構造の局限性によって、敏感度も良好ではない。書類シートの背後に設置の黒色背景を利用してシートの前縁をセンサーし、書類シートのカラーが深い時、例えば、深緑色、赤色は、識別困難が発生する。書類シートが黒色である状況では、更に識別することができない。
【０００８】
従来のシート搬送器は、側辺揺動アーム等を利用し、シート側辺センサーに適合し、これも側辺揺動アーム等の機械構造の局限性によって、シート側辺をセンサーする敏感度が良好ではない。
【特許文献１】特許公表第２００５−５２６３０４号
【考案の開示】
【考案が解決しようとする課題】
【０００９】
本考案の第１の目的は、前記従来技術に存在する欠陥を克服し、敏感度が高く、シート側辺をセンサーできるシート前縁センサー装置を有するシート搬送器を提供することである。
【００１０】
本考案の第２の目的は、前記従来技術に存在する欠陥を克服し、敏感度が高く、シート側辺をセンサーできるシート側辺センサー装置を有するシート搬送器を提供することである。
【課題を解決するための手段】
【００１１】
上記の第１の目的を達成するため、本考案が提供するシート辺縁センサー装置を有するシート搬送器は、機体と、ローラーセットと、信号採集器と、信号処理器と、前縁ミラーとを含み、ローラーセットは機体上に設置され、該ローラーセットの間にシート搬送経路を形成し、シート搬送経路は、正常にシートが通過するシート推進経路とシート推進経路左右両側の経路側辺を含む。信号採集器は、機体上に設置され、シート搬送経路の一側に位置する光源と光信号を電気信号に変換するイメージセンサーを含む。信号処理器は、信号採集器のイメージセンサーと相互に接続する。前縁ミラーは、機体上に設置され、シート搬送経路の他側に位置し、シート推進経路箇所に対応する。
【００１２】
上記の第２の目的を達成するため、本考案が提供するシート辺縁センサー装置を有するシート搬送器は、機体と、ローラーセットと、信号採集器と、信号処理器と、側辺ミラーとを含み、ローラーセットは機体上に設置され、該ローラーセットの間にシート搬送経路を形成し、シート搬送経路は、正常にシートが通過するシート推進経路とシート推進経路左右両側の経路側辺を含む。信号採集器は、機体上に設置され、シート搬送経路の一側に位置する光源と光信号を電気信号に変換するイメージセンサーを含む。信号処理器は、信号採集器のイメージセンサーと相互に接続する。側辺ミラーは、機体上に設置され、シート搬送経路の他側に位置し、経路側辺箇所に対応する。
【考案の効果】
【００１３】
上記のように、本考案のシート辺縁センサー装置を有するシート搬送器は、前縁ミラーとイメージセンサーを前縁センサー装置とする。一方で、シートに対するセンサーが機械接触を行う必要がなく、前縁揺動アームとローラーセットの動作に合わせる必要がない。もう一方で、前縁ミラーは如何なるシートとの対比も、光反射能力がいずれも強力である。従って、本考案のシート搬送器は、シートの前縁をセンサーする敏感度が高い。
【００１４】
上記のように、本考案のシート辺縁センサー装置を有するシート搬送器は、側辺ミラーとイメージセンサーを側辺センサー装置とする。一方で、シートに対するセンサーが機械接触を行う必要がなく、側辺揺動アームとローラーセットの動作に合わせる必要がない。もう一方で、側辺ミラーは如何なるシートとの対比も、光反射能力がいずれも強力である。従って、本考案のシート搬送器は、シートの側辺をセンサーする敏感度が高い。
【考案を実施するための最良の形態】
【００１５】
図１、図２は、本考案のシート辺縁センサーを有するシート搬送器を応用したスキャナーを示す図である。スキャナーは、スキャナー主機とシート搬送器を含む。スキャナー主機は、機体１と、機体１に設置され、シート５を推進し前進させる４つのシート推進ローラー２と、４つのシート推進ローラー２が組成するローラーセットを含む。４つのシート推進ローラー２の間にシート搬送経路８を形成し、シート搬送経路８は、正常にシートが通過するシート推進経路８１とシート推進経路８１左右両側の経路側辺８２を含む。正常な状況下でシート５はシート経路８１から通過する。
【００１６】
機体１上に光源６と、ＣＣＤイメージセンサー１１と、シート５とＣＣＤイメージセンサー１１の間で光線を反射する３つのミラー７と、光線をＣＣＤイメージセンサー１１上に集中させる透過レンズ１０とを固定する。該ＣＣＤイメージセンサー１１が信号処理器（図示せず）と相互に接続する。本実施例中、前記ＣＣＤイメージセンサー１１は、光信号を受け、それを電気信号に変換するイメージセンサーである。光源６、ミラー７、透過レンズ１０、ＣＣＤイメージセンサー１１が信号採集器を組成する。
【００１７】
機体１上のシート搬送経路８上方（シート５背面の一側に相当）にシートプレス板４を固定する。シート固定板４のシート搬送経路８に向いた一面上の両端が両経路側辺に対応する箇所にそれぞれ側辺ミラー９を設け、シートプレス板４上にシート推進経路８１対応する左右両側と中部箇所にそれぞれに前縁ミラー３を設ける。この三箇所に３つの前縁ミラー３を設置し、書類シートを歪んでいるまたは幅の狭い状況の下、シート搬送器は様子に応じて精確にシートの最前端辺縁の位置をセンサーし、書類に対して完全なスキャンを行う。当然、ここで前縁ミラー３は、状況に応じてより多く設置することもでき、前縁ミラー３と側辺ミラー９はシートプレス板４上の前後の位置で一致し、信号採集器を共有することができる。
【００１８】
シート搬送器のシート前縁センサー過程は以下のとおりである：
シート５がまだ進入してない、またはシート５が既に通過していて、且つ次のシート５が進入していない時、光源６が発生する光線が３つの前縁ミラー３に照射した後、前縁ミラー３により反射され、反射光線が３つのミラー７を経過し順に反射した後、透過レンズ１０に進入し、透過レンズ１０によって光線をＣＣＤイメージセンサー１１上に集める。シート５正常に進入する時、シート５は、通常少なくとも１つの前縁ミラー３を遮断し、光源６が発生し、該前縁ミラー３に向かって照射する光線がシート５からミラー７に反射するように変更を開始し、最終的に透過レンズ１０によってＣＣＤイメージセンサー１１上に集まる。
【００１９】
シート５と前縁ミラー３の反射光線の能力が異なり、前縁ミラー３の反射光線の能力が各種シート５の反射光線の能力よりも遥かに強いので、最終的にＣＣＤイメージセンサー１１が受ける光線の強弱も異なり、変換した電気信号（ここでは、電圧信号）強度も異なる。前縁ミラー３が光を反射する時、比較的強い光線がイメージセンサー上に比較的高い照度をなすため、比較的高い電圧が出力される。全部の前縁ミラーがいずれも光を反射する時、信号処理器がシートの無い状態を認定する。シート５があり光を反射する時、比較的弱い光線が比較的低い電圧を出力させ、信号処理器がシートのある状態を認定する。信号処理器がシートの無い状態からシートのある状態への変化「検出」する時、シート推進の開始を認定し、シート処理設備がこの確定からシートに対して処理（スキャンまたはプリント等）を開始する時間を確定する。
【００２０】
シート搬送器のシート側辺センサー過程は以下のとおりである：
正常にシートが進入し、紙の無い状況の下、シート搬送経路８の経路側辺８２に位置する側辺ミラー９が光源６発生する光線をミラー７に反射し、反射ミラー７から順に反射した後、透過レンズ１０に進入し、透過レンズ１０によって光線をＣＣＤイメージセンサー１１に集める。シート５が非正常に進入した時、即ち、シート５がシート搬送経路８の経路側辺８２箇所に進入した時、遮断される経路側辺８２に位置する側辺ミラー９が遮断され、この時、光源６が該箇所に照射する光線がシート５から反射を開始する。シート５と側辺ミラー９の反射能力が異なるので、最終的にＣＣＤイメージセンサー１１に達する光線およびＣＣＤイメージセンサー１１が発生する電気信号強度も異なる。側辺ミラー９が光を反射する時、ＣＣＤイメージセンサー１１が比較的高い電圧出力を発生する。２箇所の側辺ミラー３がいずれも光を反射する時、信号処理器が正常状態であることを認定する。シート５が光を反射する時、ＣＣＤイメージセンサー１１が比較的低い電圧出力を発生し、この時、信号処理器が正常にシート推進していなことを認定し、ローラーセットのシート推進動作を停止し、シート５が押圧を受けて引き裂かれる、またはシート搬送器が紙詰まりすることを防止し、シート搬送器の損壊を防止する。
【００２１】
本実施例中、シート搬送器のシート前縁センサー装置とシート側辺センサー装置は、いずれもスキャナー主機の信号採集器と信号処理器を借用し、さらに製造コストを削減し、シート処理設備の体積を縮小する。
【００２２】
上記のように、本考案のシート搬送器は、３つの低価格な前縁ミラー３とＣＣＤイメージセンサー１１等でシート前縁センサー装置とし、シート前縁センサー装置は、スキャナー主機の信号採集器と信号処理器を借用している。本シート搬送器はシート５前縁のセンサーに対して機械接触を行う必要がなく、シートセンサー器の機械動作に合わせる必要がなく、前縁ミラー３は、如何なるシート５と比較しても反射能力の差が顕著であるので、敏感度が高いだけではなく、コストも低く、精確に歪んだ、または各種幅のシート５５の前縁を測定できる。
【００２３】
本考案のシート搬送器は、２つの低価格な側辺ミラー９とＣＣＤイメージセンサー１１をシート側辺センサー装置とし、シート側辺センサー装置は、スキャナー主機の信号採集器と信号処理器を借用している。本シート搬送器はシート５前縁のセンサーに対して機械接触を行う必要がなく、シートセンサー器の機械動作に合わせる必要がなく、側辺ミラー９は、如何なるシート５と比較しても反射能力の差が顕著であるので、敏感度が高いだけではなく、構造が簡単であり、コストも低い。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。例えば、同一の原理をコピー機およびファクシミリにも用いることができ、スキャナーとファクシミリ上に用いる時、シート辺縁センサーを有するシート搬送器と同様に、主機と信号採集器と信号処理器部分を共用でき、生産コストを削減し、シート処理設備の体積を縮小する。実施例中のＣＣＤイメージセンサー１１はＣＩＳイメージセンサーに置換することもできる。ミラー７の設置数量は、状況に応じて増減できる。前記前縁ミラー３は、長方形状を呈し、両経路側辺８２を跨ぎ、この時、前縁ミー等３は同時に前縁ミラー３と側辺ミラー９の２つの機能を有することもできる。
【図面の簡単な説明】
【００２５】
【図１】本考案のシート辺縁センサー装置を有するシート搬送器をスキャナーに応用した構造説明図である。
【図２】図１中のシートプレス板、前縁ミラーおよび側辺ミラー片とシート搬送経路の関係説明図である。図１および図２中、直線矢印が指す方向がシート進行方向である。
【符号の説明】
【００２６】
１  機体
２  シート推進ローラー
３  前縁ミラー
４  シートプレス板
５  シート
６  光源
７  ミラー
８  シート搬送経路
８１  シート推進経路
８２  経路側辺
９  側辺ミラー
１０  透過レンズ
１１  ＣＣＤイメージセンサー
【図１】
0003140171.tif 000003
【図２】
0003140171.tif 000004